(57)【要約】【課題】  筐体をよりコンパクト化することにより、携帯性に優れたつまようじホルダー１を提供する。【解決手段】  本発明は携帯用のつまようじホルダー１に関する。このホルダー１は、筆記具とほぼ同等の径寸法φ及び長さ寸法Ｌを有する外筒体１と、外筒体１の基端部に出退自在に設けられた操作筒体４と、外筒体１の先端部よりの部分に収容されており、操作筒体４の押動操作によってつまようじ２が通過可能な程度に拡径するチャック部材５と、を備える。【選択図】図１
2011143222.tif 000002
【特許請求の範囲】
【請求項１】
筆記具とほぼ同等の径寸法及び長さ寸法を有する外筒体と、
前記外筒体の基端部に出退自在に設けられた操作筒体と、
前記外筒体の先端部よりの部分に収容されており、前記操作筒体の押動操作によってつまようじが通過可能な程度に拡径するチャック部材と、
を備えていることを特徴とする携帯用のつまようじホルダー。
【請求項２】
基端側と先端側の双方が開放された請求項１に記載の外筒体と、
前記外筒体の内部に軸方向に移動自在でかつ同軸心状に挿通された、１又は複数のつまようじを内部に収容可能な内筒体と、
前記内筒体の基端部を着脱自在に閉塞する請求項１に記載の操作筒体と、
前記内筒体の先端部に同軸心状に連結され、前記つまようじが内部を通過可能な拡径状態と通過不能な縮径状態とに弾性変形自在な筒状の請求項１に記載のチャック部材と、
前記チャック部材を基端側に付勢して縮径状態に変形させ、前記チャック部材が先端側に移動すると当該チャック部材が拡径状態に復元するのを許容する開閉機構と、
を備えている請求項１に記載のつまようじホルダー。
【請求項３】
前記開閉機構は、基端側が前記チャック部材の外周側に係合する圧縮コイルばねと、前記チャック部材の外周面に形成されたカム部に当接して当該チャック部材の軸方向移動を径方向変形に変換する、前記外筒体と前記チャック部材の間に介装されたスリーブと、から構成されている請求項２に記載のつまようじホルダー。
【請求項４】
前記外筒体の内部に収容された各部材のうち、少なくとも前記内筒体と前記チャック部材とが前記外筒部の基端側から外部に抜き出せるようになっている請求項２又は３に記載のつまようじホルダー。
【請求項５】
軸方向と直交する軸心回りに揺動するクリップ部材が前記外筒体の基端部に設けられ、
前記クリップ部材が、前記内筒体の基端側への抜けを規制する抜け止め位置と、その抜けを許容する抜け許容位置のいずれかに切り替える切り替え部材の機能を併有している請求項４に記載のつまようじホルダー。
【発明の詳細な説明】
【技術分野】
【０００１】  本発明は、持ち運びに便利な携帯用のつまようじホルダーに関するものである。
【背景技術】
【０００２】  上記携帯用のつまようじホルダーとして、例えば特許文献１及び２に記載のものが知られている。
このうち、特許文献１に記載のつまようじホルダーは、扁平な矩形状の箱本体の側面に、取り出し口を有するスライド自在な蓋体を設け、この蓋体をスライドさせて取り出し口を開放することにより、その取り出し口から箱本体の内部に収容したつまようじを取り出せるようにしたものである。【０００３】  特許文献２に記載のつまようじホルダーは、先端側側面が開口された扁平な箱本体の基端部を、長方形状のフレーム体の枠内に回動自在に連結してなり、箱本体をフレーム体に対して面一に位置決めすることで箱本体の開口部を閉塞することができる。
また、箱本体をフレーム体に対して回動させると箱本体の開口部が開放され、この開口部から箱本体に収容したつまようじを取り出せるようになっている。
【先行技術文献】
【特許文献】
【０００４】
【特許文献１】  特開平１０−２４３８６６号公報
【特許文献２】  実用新案登録第３０２６１９３号公報
【発明の概要】
【発明が解決しようとする課題】
【０００５】  上記従来のつまようじホルダーでは、箱本体が扁平な矩形状になっているので、それなりに携帯に便利な形状ではあるものの、箱本体の横断面の最大方向寸法（幅方向寸法）が比較的大きいためにコンパクト化に限界があり、利用者が携帯可能な場所が限られるという欠点があった。
本発明は、このような従来の問題点に鑑み、筐体をよりコンパクト化することにより、携帯性に優れたつまようじホルダーを提供することを目的とする。
【課題を解決するための手段】
【０００６】  本発明は、携帯用のつまようじホルダーであって、筆記具とほぼ同等の径寸法及び長さ寸法を有する外筒体と、前記外筒体の基端部に出退自在に設けられた操作筒体と、前記外筒体の先端部よりの部分に収容されており、前記操作筒体の押動操作によってつまようじが通過可能な程度に拡径するチャック部材と、を備えていることを特徴とする。【０００７】  本発明によれば、外筒体の基端部に設けた操作筒体を押動操作すると、外筒体の先端部よりの部分に収容されたチャック部材が拡径し、外筒体の内部のつまようじを外筒体の先端側から取り出すことができ、いわゆる「ノック式のシャープペンシル」とほぼ同様の簡単な操作でつまようじを取り出すことができる。
また、上記作用を有するつまようじホルダーの筐体が、筆記具とほぼ同等の径寸法と長さ寸法を有する外筒体よりなるので、筐体が扁平な矩形状の箱本体よりなる従来のものと比べて、横断面の最大方向寸法をコンパクト化することができる。【０００８】  本発明のつまようじホルダーは、「ノック式のシャープペンシル」とほぼ同様の操作でつまようじを取り出せる具体例として、基端側と先端側の双方が開放された前記外筒体と、前記外筒体の内部に軸方向に移動自在でかつ同軸心状に挿通された、１又は複数のつまようじを内部に収容可能な内筒体と、前記内筒体の基端部を着脱自在に閉塞する前記操作筒体と、前記内筒体の先端部に同軸心状に連結され、前記つまようじが内部を通過可能な拡径状態と通過不能な縮径状態とに弾性変形自在な筒状の前記チャック部材と、前記チャック部材を基端側に付勢して縮径状態に変形させ、前記チャック部材が先端側に移動すると当該チャック部材が拡径状態に復元するのを許容する開閉機構と、から構成することができる。【０００９】  また、より具体的には、前記開閉機構は、基端側が前記チャック部材の外周側に係合する圧縮コイルばねと、前記チャック部材の外周面に形成されたカム部に当接して当該チャック部材の軸方向移動を径方向変形に変換する、前記外筒体と前記チャック部材の間に介装されたスリーブと、から構成することができる。【００１０】  この場合、前記外筒体の内部に収容された各部材のうち、少なくとも前記内筒体と前記チャック部材とが前記外筒体の基端側から外部に抜き出せるようになっていることが好ましい。
このようにすれば、外部に抜き出した内筒体とチャック部材を利用者が定期的に洗浄することができ、衛生面で優れたつまようじホルダーが得られる。【００１１】  また、本発明において、軸方向と直交する軸心回りに揺動するクリップ部材を前記外筒体の基端部に設ける場合には、前記クリップ部材が、前記内筒体の基端側への抜けを規制する抜け止め位置と、その抜けを許容する抜け許容位置のいずれかに切り替える切り替え部材の機能を併有していることが好ましい。
この場合、クリップ部材が上記機能を兼用するので、切り替え部材を別途設ける場合に比べて、部品点数が少なくなって製作コストを低減することができる。
【発明の効果】
【００１２】  以上説明したように、本発明によれば、筐体が扁平な矩形状の箱本体よりなる従来品に比べて、横断面の最大方向寸法をコンパクト化できるので、携帯性に優れたつまようじホルダーを提供することができる。
【図面の簡単な説明】
【００１３】
【図１】  （ａ）は本発明の実施形態に係るつまようじホルダーの正面図であり、（ｂ）は同ホルダーの側面図である。
【図２】  つまようじホルダーの中途部から先端部を拡大した側面断面図である。
【図３】  つまようじホルダーの基端部から中途部を拡大した側面断面図である。
【発明を実施するための形態】
【００１４】  〔つまようじホルダーの全体形状〕
図１は、本発明の実施形態に係るつまようじホルダーの全体形状を示しており、図１（ａ）は同ホルダーの正面図であり、図１（ｂ）は同ホルダーの側面図である。
図１に示すように、本実施形態のつまようじホルダー（以下、「ホルダー」と省略することがある。）１は、筆記具の一種であるノック式のシャープペンシルとほぼ同様の形状に形成されており、外筒体３内のつまようじ２を操作筒体４の押動操作によって外筒体３の先端部（図１の下端部）から取り出せるようになっている。
【００１５】  すなわち、本実施形態のホルダー１は、シャープペンシルとほぼ同等の径寸法φ及び長さ寸法Ｌを有する外筒体３と、この外筒体３の基端部（図１の上端部）に出退自在に設けられた操作筒体４とを備えている。
また、このホルダー１は、外筒体３の先端部よりに収容され、操作筒体４の押動操作によってつまようじ２が通過可能な程度に拡径するチャック部材５と、外筒体３の基端部の外周面に取り付けられたクリップ部材６とを備えている。
【００１６】  上記外筒体３は、基端側と先端側の双方が開放されたプラスチック製の円筒体により構成され、先細り円錐形状の取り出し部７を先端部に一体に有する。この取り出し部７の先端口径は、つまようじ２が１本だけ通過可能な程度に設定されている。
外筒体３の径寸法φは概ね８〜１６ｍｍ程度に設定され、長さ寸法は概ね１００〜１４０ｍｍに設定されており、これにより、外筒体３がシャープペンシルとほぼ同様の大きさとなるように寸法設定されている。なお、本実施形態では、外筒体３の径寸法φは１１．６ｍｍであり、長さ寸法Ｌは１１９ｍｍになっている。
【００１７】  〔つまようじホルダーの内部構造〕
図２及び図３は、本実施形態のホルダー１の内部構造を示している。図２は、同ホルダー１の中途部から先端部を拡大した側面断面図であり、図３は、同ホルダーの基端部から中途部を拡大した側面断面図である。
同図に示すように、外筒体３の内部には、この外筒体３の軸方向に移動自在でかつ同軸心状に挿通された、１又は複数のつまようじ２を内部に収容可能な内筒体９と、この内筒体の先端部に同軸心状に連結された前記チャック部材５と、このチャック部材５を径方向に開閉させる開閉機構１０とが収容されている。
【００１８】  内筒体９は、基端側と先端側の双方が開放された金属製又はプラスチック製の円筒体により構成され、外筒体３の内周面とほぼ同じ径寸法の外周面を有している。内筒体９の基端部には、前記操作筒体４が着脱自在に嵌合されており、この操作筒体４によって内筒体９の基端側が閉塞されている。
図２に示すように、内筒体９の先端部に連結されたチャック部材５は、外筒体３の先端部よりの部分に収容されたプラスチック製の円筒体よりなる。
【００１９】  このチャック部材５は、その基端側から先端側に向かって順に、漏斗状の受け入れ口１２、中間通路１３及び開閉通路１４を内部に有している。このうち、受け入れ口１２は、先端側に向かって先細りのテーパー面となっており、中間通路１３の内径は、つまようじ２が１本だけ通過できる程度の寸法に設定されている。
チャック部材５には、軸方向に長い複数（例えば、３つ或いは４つ）のスリット１５が周方向に一定間隔おきに形成され、この各スリット１５は、チャック部材５の基端部から軸方向に延びて当該部材５の先端面まで到達している。
【００２０】  チャック部材５は、上記複数のスリット１５の形成によって先端部が縮径状態と拡径状態とに弾性変形自在となっており、後述のスリーブ１７によって先端部を縮径させない自然状態においては、各スリット１５の先端開口が広がり、つまようじ２が通過可能な径寸法となるように開閉通路１４が拡大する。
逆に、チャック部材５の先端部が後述のスリーブ１７によって縮径状態に変形すると、つまようじ２が通過不能な径寸法となるように開閉通路１４が縮径する。
【００２１】  前記開閉機構１０は、外筒体３の先端部よりの部分に収容されており、チャック部材５を基端側に付勢して縮径状態に変形させ、チャック部材５が先端側に移動すると当該チャック部材５が拡径状態に復元するのを許容する機能を有する。
この開閉機構１０は、具体的には、外筒体３とチャック部材５の間に介装された圧縮コイルばね１６とスリーブ１７とから構成されており、これらの部材１６，１７はいずれも金属製である。
【００２２】  スリーブ１７は、外筒体３の内周面に形成された段差に当接して先端側への移動が規制されており、このスリーブ１７の内部に、チャック部材５の先端部が軸方向に移動自在に挿通されている。
圧縮コイルばね１６は、先端がスリーブ１７の基端面に当接し、かつ、基端がチャック部材５の外周面に形成したフランジ面に係合しており、この圧縮コイルばね１６のばね力により、チャック部材５が基端側に付勢されている。
【００２３】  チャック部材５の先端部の外周面には、先端側に向かって拡径方向に傾斜するカム部１８と、チャック部材５をスリーブ１７から抜け止めするための抜け止め部１９が形成されている。
このため、圧縮コイルばね１６のばね力により、チャック部材５が基端側の通常位置（図２の実線位置）にある場合には、チャック部材５の先端部が縮径状態となり、つまようじ２が開閉通路１４を通過することができない。
【００２４】  また、圧縮コイルばね１６のばね力に抗して操作筒体４を押動操作することで、チャック部材５が基端側の操作位置（図２の仮想線位置）になると、チャック部材５の先端部が拡径状態となり、つまようじ２が開閉通路１４を通過することができる。
【００２５】  図３に示すように、前記クリップ部材６は、軸方向に長いアーム部２１と、このアーム部２１の中途部から突設した枢着部２２とを一体に有するプラスチック部材よりなる。
クリップ部材６の枢着部２２は、外筒体３の基端部の外周面に突設したブラケットに、軸方向と直交する枢着軸２３によって揺動自在に取り付けられている。また、この枢着軸２３に巻き付けられた付勢ばね２４により、アーム部２１の先端部が外筒体３の外周面を押圧する方向に付勢されている。
【００２６】  上記枢着部２２の径内側には、外筒体３の周壁部に形成した窓部を介して外筒体３の内部に至る係合爪２５が形成されている。この係合爪２５は、付勢ばね２４のばね力により、内筒体９の基端部に形成した係合溝２６に嵌合しており、これにより、内筒体９が外筒体３の基端側から抜け出すのが規制されている。
一方、付勢ばね２４のばね力に抗して、アーム部２１の基端部２１Ａを径内側に押動すると、係合爪２５が係合溝２６から外れ、内筒体９の抜け止めを解除することができる。
【００２７】  このように、本実施形態では、枢着軸２３により揺動自在に取り付けられたクリップ部材６が、内筒体９の基端側への抜けを規制する抜け止め位置と、その抜けを許容する抜け許容位置とのいずれかに切り替える切り替え部材としての機能を併有している。
また、本実施形態では、上記クリップ部材を操作して内筒体９の抜け止めを解除すると、内筒体９を含む外筒体３の内部に収容された各部材５，９，１０を、外筒体３の基端側から外部に抜き出せるようになっている。
【００２８】  なお、この場合、つまようじ２が直接接触しない開閉機構１０（圧縮コイルばね１６とスリーブ１７）については、外筒体３の内部に残し、つまようじ２が直接接触する内筒体９とチャック部材５を抜き出せるように構成してもよい。
【００２９】  〔つまようじホルダーの作用及び効果〕
本実施形態のホルダー１を使用する場合には、まず、操作筒体４を内筒体９から取り外して、内筒体９の内部に１又は複数本のつまようじ２を入れておく。
このさい、操作筒体４を押動操作しない通常時においては、チャック部材５のカム部１８が圧縮コイルばね１６のばね力によってスリーブ１７内に入り込んでおり、これによってチャック部材５の先端部が縮径状態になっている。従って、つまようじ２が開閉通路１４を通過できず、つまようじ２の落下が確実に防止される。
【００３０】  一方、ホルダー１からつまようじ２を取り出したい場合には、利用者は、操作筒体４を押動操作してチャック部材５を先端側に移動させ、この状態で、ホルダー１を下に向けて上下に振ればよい。
このさい、操作筒体４の押動操作でチャック部材５のカム部１８が先端側に移動してスリーブ１７から外れ、チャック部材５の先端部が拡径状態となっている。従って、つまようじ２が開閉通路１４を通過可能となり、つまようじ２を外筒体３の取り出し部７から外部に取り出すことができる。
【００３１】  このように、本実施形態のつまようじホルダー１によれば、外筒体３の基端部に設けた操作筒体４を押動操作すると、外筒体３の先端部よりの部分に収容されたチャック部材５が拡径し、外筒体３の内部のつまようじ２を、外筒体３の先端側から取り出すことができる。
すなわち、いわゆる「ノック式のシャープペンシル」とほぼ同様の簡単な操作で、つまようじ２を外部に取り出すことができる。
【００３２】  そして、本実施形態のつまようじホルダー１によれば、上記作用を有するホルダー１の筐体が、筆記具とほぼ同等の径寸法φと長さ寸法Ｌを有する外筒体３よりなるので、筐体が扁平な矩形状の箱本体よりなる従来のものと比べて、横断面の最大方向寸法をコンパクト化することができる。
更に、本実施形態のつまようじホルダー１によれば、内筒体９とチャック部材５とを外筒体３の基端側から外部に抜き出せるので、外部に抜き出した内筒体９とチャック部材５を利用者が定期的に洗浄することができ、衛生面に優れるという効果もある。
【００３３】  また、本実施形態のつまようじホルダー１によれば、枢着軸２３回りに回動自在なクリップ部材６が、内筒体９に係脱自在な係合爪２５を有し、内筒体９の基端側への抜けを規制する抜け止め位置と、その抜けを許容する抜け許容位置とのいずれかに切り替える切り替え部材としての機能を併有しているので、そのような切り替え部材を別途設ける場合に比べて、部品点数が少なくなるという利点もある。
【００３４】  なお、本発明は上記実施形態に限定されるものではない。例えば、上記実施形態では、外筒体３の横断面が円形となっているが、六角形その他の断面形状であってもよい。
【符号の説明】
【００３５】１：つまようじホルダー    ２：つまようじ    ３：外筒体    ４：操作筒体
５：チャック部材    ６：クリップ部材    ９；内筒体    １０：開閉機構
１６：圧縮コイルばね    １７：スリーブ
【図１】
2011143222.tif 000003
【図２】
2011143222.tif 000004
【図３】
2011143222.tif 000005